(57)【要約】【課題】床の防水機能を害することなく、汎用的な部材を用いて床上に構造物を固定させる手段を提供する。【解決手段】床Ｆの上に汎用的な支持具１１が配置される。支持具１１の土台部１１１には４つの孔が設けられており、予め床Ｆの対応する位置に開けられた穴と位置合わせされた状態で、その穴にねじ込まれるタッピンネジ１２により上方から下方に押圧されることにより、支持具１１が床Ｆに対し固定される。なお、床Ｆがコンクリート層Ｉを備える場合にはコンクリート層Ｉに開けられた穴に打ち込まれた樹脂プラグ１３に対しタッピンネジ１２のねじ込みが行われる。このように床Ｆに対し固定された支持具１１の上面およびその周辺の領域を全て覆うように防水剤１４が塗布され乾燥される。その結果、タッピンネジ１２により防水シートＧに破損が生じても、床Ｆに対し水の浸入が生じない構造物が実現される。【選択図】図１
0003163758.tif 000002
【実用新案登録請求の範囲】
【請求項１】
床の上面上に配置された状態において前記床の上面に接する土台部と、前記土台部から上方に延伸する支柱部とを有し、前記支柱部に取り付けられた物を前記床の上方において下方から支持する支持具と、
床に差し込まれ、前記床の上面上に配置された前記支持具を前記床に固定する１以上の留め具と、
上方から見たときに、前記土台部と前記床の上面とが接している領域の外縁から外側に所定の距離の点の集合で構成される境界線の内側の領域のうち前記支柱部が前記土台部と接続されている部分を除く全ての部分に配置されている前記土台部、前記留め具および前記床の上面を、上方から覆う一連の防水剤と
を備える構造物。
【請求項２】
前記防水剤は、前記床の上面から上方に向かって配置されるプライマー層と防水主剤層とトップコート層とを有する
請求項１に記載の構造物。
【請求項３】
前記留め具は、釘状の部材もしくは螺子状の部材である
請求項１または２に記載の構造物。
【考案の詳細な説明】
【技術分野】
【０００１】
本考案は、床上に物を載置するための支柱等を床に固定させる際の防水技術に関する。
【背景技術】
【０００２】
防水シート等により防水処理の施されている屋上の床等の上に何らかの構造物を配置し固定する必要がある場合、床等に螺子等を打ち込むと防水効果がなくなり、雨漏り等の問題が引き起こされる。そのため、防水効果を維持しつつ上記のように構造物を配置するための対策が必要となる。
【０００３】
そのような対策のための従来技術の例として、例えば特許文献１には、建物の外側に張り出して設けられるバルコニーの手摺り支柱の根元部の防水構造が開示されている。
【０００４】
また、特許文献２には、屋上床を貫通する配管およびその施工方法において、雨仕舞いを良くする防水構造が開示されている。
【０００５】
また、特許文献３には、屋上床上の構造物支持構造において、当該支持構造の根元部に防水層が形成された構成が開示されている。
【先行技術文献】
【特許文献】
【０００６】
【特許文献１】特開２００５−２１３９５２号公報
【特許文献２】特開２００４−３０８１２７号公報
【特許文献３】特開２０００−４５４７４号公報
【考案の概要】
【考案が解決しようとする課題】
【０００７】
家屋の建築が完了した後に、後付けで屋上に太陽電池パネル等の構造物を設置する必要が生じる場合がある。それらのものを屋上の床にしっかりと固定する最も簡易で安価な方法は、支柱となる汎用的な部材を螺子や釘で床に固定し、その支柱上に太陽電池パネル等を螺子等で固定することである。
【０００８】
ただし、汎用的な部材を螺子や釘で床に固定すると、屋上の床面下に配置されている防水層や防水シートを螺子や釘が突き破り、屋上の防水機能を害する危険性がある。
【０００９】
上述した特許文献において提案されている技術は、いずれも配置されるべき構造物の形状やサイズに応じた防水キャップ等の専用の部材を用いて屋上等の防水機能の維持を行うものである。従って、設置場所等に応じたそれらの専用の部材を施工前に予め必要な数だけ準備しておく必要があり手間がかかったり、各々の部材のコストが高くなったり、という問題がある。
【００１０】
そこで、本考案は、汎用的で容易かつ安価に入手できる部材を用いて、屋上等の床上に構造物を固定させつつ、その屋上等の防水機能が害される問題を回避することを可能とする手段を提供することを目的とする。
【課題を解決するための手段】
【００１１】
本考案は、上記の目的に鑑みて想到されたものであり、
床の上面上に配置された状態において前記床の上面に接する土台部と、前記土台部から上方に延伸する支柱部とを有し、前記支柱部に取り付けられた物を前記床の上方において下方から支持する支持具と、
床に差し込まれ、前記床の上面上に配置された前記支持具を前記床に固定する１以上の留め具と、
上方から見たときに、前記土台部と前記床の上面とが接している領域の外縁から外側に所定の距離の点の集合で構成される境界線の内側の領域のうち前記支柱部が前記土台部と接続されている部分を除く全ての部分に配置されている前記土台部、前記留め具および前記床の上面を、上方から覆う一連の防水剤と
を備える構造物
を提供する（第１の実施態様）。
【００１２】
また、上記の第１の実施態様において、
前記防水剤は、前記床の上面から上方に向かって配置されるプライマー層と防水主剤層とトップコート層とを有する
構成を採用してもよい（第２の実施態様）。
【００１３】
また、上記の第１または２の実施態様において、
前記留め具は、釘状の部材もしくは螺子状の部材である
構成を採用してもよい（第３の実施態様）。
【考案の効果】
【００１４】
本考案の第１の実施態様にかかる構造物によれば、専用の部材を用いることなく簡易に、床の上面上に配置された土台部から上方に延伸する支柱部の根元部の防水をしっかりと行うことが可能である。
【００１５】
本考案の第２の実施態様にかかる構造物によれば、上述の支柱部の根元部の防水をさらにしっかりと行うことが可能である。
【００１６】
本考案の第３の実施態様にかかる構造物によれば、入手が容易な釘や螺子を用いて上述の土台部を上述の床に固定することが可能である。
【図面の簡単な説明】
【００１７】
【図１】図１は、本考案の実施形態にかかる構造物の概観を示す断面図である。
【図２】図２は、本考案の実施形態にかかる構造物の施工方法の一例を説明するための図である。
【考案を実施するための形態】
【００１８】
（実施形態）
以下、本考案の一具体例である実施形態を、図面を用いて説明する。
【００１９】
図１は、本実施形態にかかる構造物１、構造物１が施工される床Ｆ、構造物１に取り付けられる架台Ｒ、および架台Ｒを支持する支持構造の概観を示す断面図である。なお、図１に示されるように、床Ｆは上から順に防水シートＧ、断熱材層Ｈおよびコンクリート層Ｉの３層構造を備えている。ただし、床Ｆの構造はこれに限られない。
【００２０】
構造物１は、架台Ｒを床Ｆの上方において下方から支持する支持具１１と、支持具１１を床Ｆに固定する例えば４本のタッピンネジ１２と、タッピンネジ１２の各々の先端部分を覆うように配置されタッピンネジ１２を床Ｆのコンクリート層Ｉに開けられた穴に固定する例えば４個の樹脂プラグ１３と、上から見たときに支持具１１の略全面、タッピンネジ１２、および床Ｆの所定の領域を上方から覆う一連の防水剤１４とを備えている。
【００２１】
支持具１１は、床Ｆの上面に接する土台部１１１と、土台部１１１から上方に延伸する支柱部１１２とを有している。
【００２２】
土台部１１１は、例えば、ステンレス製の正方形板状の部材である。そして、当該正方形の一辺の長さは、例えば１５センチメートルである。また、当該板の厚さは、例えば１センチメートルである。
【００２３】
土台部１１１における当該正方形板の一方の面は、支持具１１が床Ｆに配置される際に床Ｆの上面と接する。そして、土台部１１１における当該正方形板の他方の面の中央には、支柱部１１２を接続するために、例えば直径２センチメートルで深さ０．５センチメートルの円柱状の穴が設けられている。なお、この穴は土台部１１１に対する支柱部１１２の位置決めおよび溶接時の仮支えをするためのものであるので、この穴を設けず、土台部１１１の中央位置に支柱部１１２を垂直に押し当てて溶接してもよい。
【００２４】
また、土台部１１１には、当該正方形板の一方の面から他方の面にかけて、後述のようにタッピンネジ１２を貫通させるために、例えば、直径１．１センチメートルの円形の孔が４つ設けられている。これらの４つの孔の配置位置は、例えばその中心位置が、当該正方形の任意の頂点を原点とし、その頂点を含む２辺を各々Ｘ軸およびＹ軸とする座標平面における以下の位置となるような位置である（ただし、単位はセンチメートル）。
孔１：点（２．５，２．５）
孔２：点（２．５，１２．５）
孔３：点（１２．５，２．５）
孔４：点（１２．５，１２．５）
【００２５】
支柱部１１２は、例えば、ステンレス製の軸方向に長い円柱状の形状を有する部材である。そして、当該円柱の軸方向の長さは、例えば１５センチメートルである。また、当該円柱の軸方向に垂直な断面を構成する円の直径は、上述した土台部１１１の中央に設けられた円柱状の穴にその一端付近を差し込み可能なように、２センチメートルより若干短い長さである。
【００２６】
支柱部１１２における当該円柱の軸方向の一端付近は、土台部１１１の中央に設けられた穴に差し込まれた状態で、例えば溶接によって土台部１１１に固着されている。
【００２７】
支柱部１１２における土台部１１１に固着されない側の先端付近には、雄螺子が切られている。支柱部１１２の雄螺子が切られている部分は、各々その雄螺子と係合する雌螺子の切られた２個のナットと、それらとともに使用されるワッシャーおよびスプリングワッシャーとともに、架台Ｒを支持するための支持構造を構成する。それらの使用方法については後述する。
【００２８】
タッピンネジ１２は、例えばステンレス製である。そして、タッピンネジ１２は、頭部がプラスドライバと噛み合う半球状の形状を有しており、当該頭部を除いた柱状の部分の軸方向の長さは、例えば１０センチメートルである。また、当該１０センチメートルうち、タッピンネジ１２の上述の頭部と反対側の先端から軸方向に５センチメートルまでの部分は、雄螺子が切られた構成となっている。また、当該柱状の部分の軸方向に垂直な断面を構成する円の直径は、例えば１センチメートルである。
【００２９】
樹脂プラグ１３は、樹脂製であり、例えば、軸方向の長さが５．５センチメートルの筒状の形状を有する部材である。当該筒の軸方向の一端は開口しており、他端は開口せずに閉じた構成となっている。ただし、この他端も開口していてもよい。また、当該筒における軸方向に垂直な断面を構成するドーナツ状の二重円の内径は例えば０．９センチメートルであり、外径は例えば１．５センチメートルである。
【００３０】
樹脂プラグ１３は、タッピンネジ１２が床Ｆにねじ込まれる前に床Ｆのコンクリート層Ｉに設けられた穴に挿入され、その穴に対しねじ込まれるタッピンネジ１２の側面と穴の側面の間の隙間を埋めることにより、タッピンネジ１２がコンクリート層Ｉにおいてがたつくことを防止するための部材である。従って、樹脂プラグ１３は、タッピンネジ１２の本数に合わせて、例えば４個用いられる。なお、施工時における樹脂プラグ１３の使用方法については後述する。
【００３１】
防水剤１４は、上方から見たときに、土台部１１１と床Ｆの上面とが接している領域の外縁から外側に所定の距離の点の集合で構成される境界線の内側の領域のうち、支柱部１１２が土台部１１１と接続されている部分を除く全ての領域に位置する土台部１１１、タッピンネジ１２、および床Ｆの上面を、上方から覆う。
【００３２】
具体的には、例えば、支持具１１を床Ｆの上面上に配置した状態で、上述したＸＹ座標平面において、Ｘ＝−１５、Ｙ＝−１５、Ｘ＝３０、およびＹ＝３０の４つの直線で囲まれる正方形状の領域を覆うように防水剤１４を塗布し乾燥させる。ただし、支柱部１１２が土台部１１１と接続されている部分、すなわち点（７．５、７．５）を中心とした直径２センチメートルの円形の部分は、防水剤１４を配置することができないため、塗布の対象から除外される。
【００３３】
この場合、土台部１１１と床Ｆの上面とが接している領域の外縁上にある任意の一点から見て、所定の距離である１５センチメートルだけ離れた位置の点の集合により構成される領域が、支柱部１１２との接続部分を除き、全て覆われるように防水剤１４の配置が行われることになる。
【００３４】
防水剤１４は、床Ｆの上面から上方に向かって配置されるプライマー層と防水主剤層とトップコート層とを有する。
【００３５】
具体的には、例えば、上述のプライマーは、アクリルエマルション系の防水剤であり、上述の防水主剤は、ゴムアスファルトエマルションであり、上述のトップコートは、アクリルエマルション系の塗料である。
【００３６】
以上のような構成を有する構造物１の施工方法の一例を、以下に説明する。
【００３７】
図２（ａ）、図２（ｂ）、図２（ｃ）、および図２（ｄ）は、構造物１の施工方法の一例を説明するための図である。
【００３８】
先ず、床Ｆに、一辺１０センチメートルの正方形の４つの頂点の各々を中心とする直径が約１．５センチメートルで深さが約１０．５センチメートルの穴を４つ開ける。この場合、電気式のドリル等を用いて穴を開けることが一般的である。
【００３９】
なお、建物の屋上の構造は、上述したように、例えば、床Ｆの表面部分が防水シートＧであり、その下側に断熱材層Ｈが設けられており、さらにその下側がコンクリート層Ｉになっている。なお、断熱材層Ｈの厚さは例えば５センチメートルである。
【００４０】
次に、上述の４つの穴の各々の中に樹脂プラグ１３を、軸方向において開口している側の一端を上にして配置する。具体的には、何らかの治具を用いて樹脂プラグ１３を当該穴の底まで打ち込む。
【００４１】
なお、上述のコンクリート層Ｉの素材が例えばＡＬＣ（Ａｕｔｏｃｌａｖｅｄ  Ｌｉｇｈｔ−ｗｅｉｇｈｔ  ａｅｒａｔｅｄ  Ｃｏｎｃｒｅｔｅ）である場合には、樹脂プラグ１３を打ち込んだ後に、上述の穴の中にエポキシ接着剤を注入する。
【００４２】
その後、支持具１１を、土台部１１１の底面を下にして床Ｆの上面上に配置する。この際、上述の４つの穴の位置と、土台部１１１の４つの孔の位置とを合わせる。
【００４３】
そして、４本のタッピンネジ１２の軸部を土台部１１１の４つの孔の各々に貫通させて、床Ｆの４つの穴の各々にねじ込み、当該頭部の下向きの押圧により支持具１１を床Ｆに固定する。この際、各々のタッピンネジ１２の先端部分から軸方向に略５センチメートルまでの部分は、樹脂プラグ１３の内部に挿入される。
【００４４】
さらに、上述したように、支持具１１の支柱部１１２を除く部分の上面および側面、タッピンネジ１２の上方もしくは水平方向から見える部分、および土台部１１１の側面と床Ｆとが接する土台部１１１の外縁から広がる床Ｆの上面上の所定の領域に、上述したプライマー、防水主剤、およびトップコートを、順番に上から覆うように配置していく。この際それぞれの層は、配置しては乾かし、配置しては乾かしを繰り返して形成される。
【００４５】
この際、上述した防水主剤層がプライマー層の全ての部分を覆い、上述したトップコート層が防水主剤層の全ての部分を覆うことに注意する。
【００４６】
なお、それぞれの層を形成する際に、マスキングを行えば容易に所望の施工を行うことが可能である。
【００４７】
そのようにして構成された構造物１には、例えば、上述した支持構造を用いて、架台Ｒ等を取り付けることが可能である。先ず、支柱部１１２の先端付近の雄螺子が切られている部分に雌螺子の切られたナットを１つ係合させる。その上に、上述のワッシャーを入れる。そして、架台Ｒに設けられた孔に当該ナットおよびワッシャーが取り付けられた支柱部１１２の先端部分を貫通させるように、支柱部１１２の上に架台Ｒを配置する。さらに、その上から上述のスプリングワッシャーを入れ、雌螺子の切られた２つ目のナットを係合させて、これらの２つのナットで架台Ｒを挟み付ける。そうすることによって、支持具１１が、上述の支持構造により架台Ｒを支持することになる。
【００４８】
架台Ｒのサイズや形状により架台Ｒを支持するために複数の支持具１１を必要とする場合には、それらの支持具１１の各々に関し上述の作業を繰り返す。そのようにして支持具１１により床Ｆの上に架台Ｒが固定されると、架台Ｒの上に、例えば太陽電池パネル等の構造物が取り付け可能となる。
【００４９】
上述した実施形態は、本考案の技術的思想の範囲内で様々に変形可能である。
【００５０】
例えば、構造物１および床Ｆの各部分のサイズについて上述した数値は全て例示であり、本考案を限定するものではない。
【００５１】
また、構造物１について上述した材料および形状も全て例示であり、本考案を限定するものではない。例えば、土台部１１１は、ステンレス製の正方形板状の部材であるとしたが、ステンレス以外の素材によって作られていてもよく、また正方形板状以外の形状を有していてもよい。同様に、支柱部１１２は、ステンレス製の軸方向に長い円柱状の形状を有する部材であるとしたが、ステンレス以外の素材で作られていてもよく、また長い円柱以外の形状を有していてもよい。さらに、防水剤１４も、防水効果を有するものであればいかなる素材が採用されてもよい。
【００５２】
また、土台部１１１には、土台部１１１を構成する正方形板の一方の面から他方の面にかけて、タッピンネジ１２を貫通させるための円形の孔が４つ設けられているものとしたが、当該孔の形状および個数は、本考案を限定するものではない。また、特に問題がなければ、当該孔は設けられなくてもよい。例えば、当該孔が設けられない例としては、タッピンネジ１２に代わるＬ字状の形状を有する留め具が、当該Ｌの一辺で土台部１１１を土台部１１１の外縁の外側上方から内側に向かって覆うように配置された状態で床Ｆに対し打ち込まれ、土台部１１１を床Ｆに対し下方に押圧することにより固定することが考えられる。
【００５３】
また、支柱部１１２における上述した円柱の軸方向の一端付近は、溶接以外の方法によって土台部１１１に固着されてもよい。また、土台部１１１と支柱部１１２とは、一体成形されてもよい。
【００５４】
また、支柱部１１２における土台部１１１に固着されない側の先端付近には雄螺子が切られ、その雄螺子が切られている部分が架台Ｒを支持するための支持構造の一部を構成するものとしたが、支柱部１１２が、支柱部１１２に取り付けられた物を床Ｆの上方において下方から支持することができれば、その支持構造としていかなる構造が採用されてもよい。さらに、特に問題がなければ、支持構造と呼べるような特段の構造が設けられなくてもよい。
【００５５】
また、支柱部１１２は、例えば架台Ｒ等を支持するものとしたが、架台Ｒ以外のいかなる物を支持してもよい。
【００５６】
また、タッピンネジ１２は留め具の一例であって、床Ｆに差し込まれ、床Ｆの上面上に配置された支持具１１を床Ｆに固定する１以上の留め具であれば、タッピンネジ１２の代わりにいかなる留め具が採用されてもよい。上述したＬ字状の形状を有する留め具はその一例である。
【００５７】
また、上述した実施形態においては床Ｆにコンクリート層Ｉが含まれていたため、タッピンネジ１２のがたつき防止のために樹脂プラグ１３が用いられるものとしたが、例えば床Ｆが木製の下地を備える等の場合には、樹脂プラグ１３は不要となる。
【００５８】
また、防水剤１４は、少なくとも、支持具１１の支柱部１１２を除く部分の上面および側面、タッピンネジ１２の上方もしくは水平方向から見える部分、および土台部１１１の側面と床Ｆとが接する境界を含んだ領域を、上方から覆っていればよい。
【００５９】
また、防水剤１４は、床Ｆの上面から上方に向かって配置されるプライマー層と防水主剤層とトップコート層とを有するものとしたが、これは本考案を限定するものではない。例えば、それらの各々の層が有する機能を複数もしくは全て備える材料があれば、防水剤１４は２層もしくは１層により構成され得るし、例えば異なる材料による防水主剤層を２層以上重ねることにより防水効果を高めたい場合には、防水剤１４が４層以上により構成されることになる。
【００６０】
また、上述した構造物１の施工方法は、あくまで例示であり、本考案を限定するものではない。
【産業上の利用可能性】
【００６１】
本考案にかかる防水構造は、ビルの屋上等に架台等を施工する場合に有用であるため、太陽電池パネル等の設置に便利であり、世の中で広く利用されることが期待される。
【符号の説明】
【００６２】
１…構造物、１１…支持具、１１１…土台部、１１２…支柱部、１２…タッピンネジ、１３…樹脂プラグ、１４…防水剤
【図１】
0003163758.tif 000003
【図２】
0003163758.tif 000004